(57)【要約】【課題】光ディスク再生装置において、装置本体の後端部の中央に２軸ヒンジを有する構成であっても、２軸ヒンジとバッテリパックとを装置本体に効率よく収納して、装置の小型化と薄型化を図り、しかも、装置全体の製造コストの上昇を抑える。【解決手段】バッテリパック６側の凹部６ａが、装置本体２側のヒンジ取付収納部７に対応した位置に設けられ、ヒンジ取付収納部７よりも大きな左右方向の幅Ｗ１を持ち、しかも、装置本体２のヒンジ取付収納部７の左側と右側に、バッテリパック６の電池収容部６ｂ、６ｃを収納するための収納凹部８ａ、８ｂを設ける構成にした。これにより、装置本体２の後端部の中央に取り付けられた２軸ヒンジ５とバッテリパック６とを装置本体２に効率よく収納することができる。また、バッテリパック内の全ての電池についての共通の充放電用の回路基板を、凹部６ａ内に設けたことにより、製造コストを抑えられる。【選択図】図１
2011141921.tif 000002
【特許請求の範囲】
【請求項１】
光ディスクに記録された映像を再生する光ディスク再生部を有する装置本体と、
前記光ディスク再生部により再生された映像を表示するための表示部と、
前記装置本体と前記表示部とを回転回動自在に連結するための２軸ヒンジと、
前記装置本体の後端部に着脱自在で、電力を前記装置本体と前記表示部とに供給するバッテリパックとを備えた光ディスク再生装置において、
前記２軸ヒンジは、該２軸ヒンジを前記装置本体側に結合するための結合部を有し、
前記装置本体は、その後端部の中央に、前記２軸ヒンジの結合部の取り付けと収納を行うためのヒンジ取付収納部を有すると共に、前記後端部における前記ヒンジ取付収納部の左側と右側に、前記バッテリパックの電池収容部を収納するための収納凹部を有し、
前記バッテリパックは、中央部にコの字型の凹部を有し、
前記凹部は、前記装置本体側の前記ヒンジ取付収納部に対応した位置に設けられ、該ヒンジ取付収納部よりも大きな左右方向の幅を持つことを特徴とする光ディスク再生装置。
【請求項２】
前記バッテリパックは、その長手方向両端に、合計２つの電池収容部を有し、これらの電池収容部は、それぞれ複数の円筒型２次電池を収容することを特徴とする請求項１に記載の光ディスク再生装置。
【請求項３】
前記バッテリパックは、前記２つの電池収容部に収容された全ての円筒型２次電池についての共通の充放電用の回路基板を、前記凹部内に有することを特徴とする請求項２に記載の光ディスク再生装置。
【請求項４】
前記装置本体側の前記収納凹部は、前記バッテリパックの装着用のガイドバーを有し、
前記ガイドバーの長手方向は、前記装置本体の水平面への載置時に、水平面と平行になる方向であり、
前記バッテリパックは、前記ガイドバーの挿入可能なガイド溝を有し、
前記バッテリパックの前記電池収容部の上面は、平坦であり、前記ガイド溝の長手方向と平行であることを特徴とする請求項１乃至請求項３のいずれか一項に記載の光ディスク再生装置。
【発明の詳細な説明】
【技術分野】
【０００１】
本発明は、ブルーレイディスク、ＤＶＤ（Digital Versatile Disc）等の光ディスクに記録された映像を再生する光ディスク再生装置に関する。
【背景技術】
【０００２】
近年、携帯型の光ディスク再生装置の分野において、光ディスク再生部を有する装置本体と、光ディスク再生部により再生された映像を表示するための液晶表示部とを備え、装置本体と液晶表示部とを２軸ヒンジで回転回動自在（回転開閉自在）に連結した光ディスク再生装置が知られている。ここで、回転とは、液晶表示部の水平方向への回転を意味し、回動とは、液晶表示部の前後方向への回転（水平方向に延びる回転軸を中心とした回転）を意味する。この２軸ヒンジは、ヒンジ機構だけではなく、装置本体への結合部を有しており、これらの部材のうち、少なくとも結合部は、装置本体内に収納される。このため、携帯型の光ディスク再生装置の装置本体の筐体には、光ディスク再生部や制御基板に加えて、２軸ヒンジの結合部を収納するためのスペースが必要になる。
【０００３】
また、携帯型の光ディスク再生装置には、バッテリパックが必要となる。このバッテリパックは、２軸ヒンジと同様、装置本体の後端部に装着されるものが多い。従って、携帯型の光ディスク再生装置の小型化及び薄型化を図る上で、装置本体の後端部において、２軸ヒンジとバッテリパックとを装置本体（の筐体）内部に効率よく収納することが必要になる。
【０００４】
そこで、この種の装置において、２軸ヒンジとバッテリパックとを装置本体（の筐体）に効率よく収納するために、バッテリパック内の２次電池として角型２次電池を使用したものや、特許文献１の図１、４及び５や特許文献２に示されるように、装置本体の後端部の左右端に配されたヒンジ部の下部を避けてバッテリパックを配置するようにしたものや、特許文献３や特許文献４に示されるようにバッテリパックを装置本体の後端に連結するようにしたものがある。
【０００５】
ところが、上記のバッテリパック内の２次電池として角型２次電池を使用した装置では、装置の薄型化を図ることはできるが、円筒型２次電池よりも高価な角型２次電池を使用するため、装置全体の製造コストが高くなってしまう。また、特許文献１の図１、４及び５や特許文献２に記載された発明では、１軸ヒンジのように、ヒンジ部が、装置本体の後端部の左右端に取り付けられる場合には、ヒンジ部の下部を避けてバッテリパックを配置することはできるが、２軸ヒンジのように、ヒンジ部が、装置本体の後端部の中央に取り付けられる場合には、ヒンジ部の下部を避けてバッテリパックを配置することはできない。なお、特許文献１の請求項２には、ヒンジ部を挟んで本体の両側部にバッテリパックの装着部を設けることが記載されているが、ヒンジ部を挟んで本体の両側部に、特許文献１の図５等に記載されているような均一な高さを有するバッテリパックを配した場合には、バッテリパックを少なくとも２つに分割せざるを得ない。バッテリパックを２つ以上に分割すると、バッテリパック内の複数の２次電池についての充放電用の回路基板を共通化することができないので、装置全体の製造コストが高くなってしまう。さらにまた、特許文献３や特許文献４に示されるようにバッテリパックを装置本体の後端に連結する装置では、装置本体の前後方向の幅が大きくなってしまうので、装置全体の大型化につながり、装置の携帯性が悪くなってしまう。
【０００６】
また、この種の装置の分野において、バッテリパックに、ヒンジ機構の回動軸に沿った方向の凹部を設けて、ヒンジ機構の回動軸に沿った部分の少なくとも一部が、バッテリパックの凹部に受容されるようにした装置が知られている（特許文献５参照）。しかしながら、この装置で薄型化を図ることができる厚みは、あくまでもヒンジ機構の回動軸の直径の厚みの一部に過ぎないので、ヒンジ機構の回動軸の一部が装置本体へのヒンジ結合部である１軸ヒンジを有する携帯型の情報処理装置の薄型化を図ることはできても、装置本体へのヒンジ結合部とヒンジ機構の部分とが異なる２軸ヒンジを有する装置の薄型化を図ることはできない。また、この装置では、バッテリパックの装置本体への装着時において、ヒンジ機構の回動軸の一部がバッテリパックの凹部に受容された状態になるので、バッテリパックを水平方向から装置本体に着脱することができない。
【先行技術文献】
【特許文献】
【０００７】
【特許文献１】特開平１１−１３４０６５号公報
【特許文献２】特開２００５−１６５６３７号公報
【特許文献３】登録実用新案第３０２５４１７号公報
【特許文献４】特開平８−７６８９８号公報
【特許文献５】特許第３４０７９９０号公報
【発明の概要】
【発明が解決しようとする課題】
【０００８】
本発明は、上記課題を解決するものであり、装置本体の後端部の中央に２軸ヒンジを有する構成であっても、２軸ヒンジとバッテリパックとを装置本体に効率よく収納し、装置の小型化と薄型化を図ることができるようにして、装置の携帯性を向上させることが可能で、しかも、装置全体の製造コストの上昇を抑えることが可能な光ディスク再生装置を提供することを目的とする。
【課題を解決するための手段】
【０００９】
上記課題を解決するために、請求項１の発明は、光ディスクに記録された映像を再生する光ディスク再生部を有する装置本体と、前記光ディスク再生部により再生された映像を表示するための表示部と、前記装置本体と前記表示部とを回転回動自在に連結するための２軸ヒンジと、前記装置本体の後端部に着脱自在で、電力を前記装置本体と前記表示部とに供給するバッテリパックとを備えた光ディスク再生装置において、前記２軸ヒンジは、該２軸ヒンジを前記装置本体側に結合するための結合部を有し、前記装置本体は、その後端部の中央に、前記２軸ヒンジの結合部の取り付けと収納を行うためのヒンジ取付収納部を有すると共に、前記後端部における前記ヒンジ取付収納部の左側と右側に、前記バッテリパックの電池収容部を収納するための収納凹部を有し、前記バッテリパックは、中央部にコの字型の凹部を有し、前記凹部は、前記装置本体側の前記ヒンジ取付収納部に対応した位置に設けられ、該ヒンジ取付収納部よりも大きな左右方向の幅を持つものである。
【００１０】
請求項２の発明は、請求項１に記載の光ディスク再生装置において、前記バッテリパックは、その長手方向両端に、合計２つの電池収容部を有し、これらの電池収容部は、それぞれ複数の円筒型２次電池を収容するものである。
【００１１】
請求項３の発明は、請求項２に記載の光ディスク再生装置において、前記バッテリパックは、前記２つの電池収容部に収容された全ての円筒型２次電池についての共通の充放電用の回路基板を、前記凹部内に有するものである。
【００１２】
請求項４の発明は、請求項１乃至請求項３のいずれか一項に記載の光ディスク再生装置において、前記装置本体側の前記収納凹部は、前記バッテリパックの装着用のガイドバーを有し、前記ガイドバーの長手方向は、前記装置本体の水平面への載置時に、水平面と平行になる方向であり、前記バッテリパックは、前記ガイドバーの挿入可能なガイド溝を有し、前記バッテリパックの前記電池収容部の上面は、平坦であり、前記ガイド溝の長手方向と平行であるものである。
【発明の効果】
【００１３】
請求項１の発明によれば、バッテリパック側の凹部が、装置本体側のヒンジ取付収納部に対応した位置に設けられ、ヒンジ取付収納部よりも大きな左右方向の幅を持ち、しかも、装置本体の後端部におけるヒンジ取付収納部の左側と右側に、バッテリパックの電池収容部を収納するための収納凹部を設ける構成にした。これにより、装置本体の後端部の中央に取り付けられた２軸ヒンジとバッテリパックとを装置本体に効率よく収納して、装置の小型化と薄型化を図ることができる。これにより、装置の携帯性を向上させることができる。また、特許文献１の請求項２に記載されているように、ヒンジ部を挟んで本体の両側部に別個の（分離した）バッテリパックを設けた場合と異なり、バッテリパック内の複数の２次電池についての充放電用の回路基板を共通化することができるので、装置全体の製造コストの上昇を抑えることができる。さらにまた、装置本体の後端部におけるヒンジ取付収納部の左側と右側に、バッテリパックの電池収容部を収納するための収納凹部を設けたことにより、装置全体の重量バランスを良くすることができる。
【００１４】
また、請求項２の発明によれば、高価な角型２次電池を使用することなく、装置の薄型化を図ることができるので、装置全体の製造コストの低減を図ることができる。
【００１５】
また、請求項３の発明によれば、バッテリパック内の２つの電池収容部に収容された全ての円筒型２次電池についての充放電用の回路基板を、確実に共通化することができるので、装置全体の製造コストの上昇を確実に抑えることができる。
【００１６】
また、請求項４の発明によれば、装置本体を水平面に載置した状態で、バッテリパックを装置本体に着脱するときに、装置本体側の収納凹部に設けられたガイドバーの長手方向と、バッテリパック側に設けられたガイド溝の長手方向と、バッテリパックの電池収容部の上面とが水平面に平行になるので、上記特許文献５に記載の発明と異なり、バッテリパックを水平方向から装置本体に容易に着脱することができる。
【図面の簡単な説明】
【００１７】
【図１】本実施形態に係る光ディスク再生装置の分解斜視図。
【図２】図１中の装置本体にバッテリパックを装着した状態を示す斜視図。
【発明を実施するための形態】
【００１８】
以下、本発明の一実施形態について、図面を参照して説明する。図１は、本実施形態による光ディスク再生装置の分解斜視図である。以下の説明及び請求項において、前（方向）、後（方向）、左（方向）、右（方向）とは、それぞれ図中の矢印で示す前後左右の方向に相当する。光ディスク再生装置１は、主に、ブルーレイディスク等の光ディスクに記録された映像を再生する光ディスク再生部４や装置全体の制御用の制御基板１２を有する装置本体２と、光ディスク再生部４により再生された映像を表示するための液晶表示部３（請求項における表示部）とから構成されている。装置本体２と液晶表示部３とは、２軸ヒンジ５により回転回動自在（回転開閉自在）に連結される。すなわち、２軸ヒンジ５は、装置本体２と液晶表示部３とを連結し、装置本体２は、２軸ヒンジ５を用いて液晶表示部３を回転回動自在に支持する。ここで、回転とは、液晶表示部３の水平方向への回転を意味し、回動とは、液晶表示部３の（図中の矢印で示される）前後方向への回転（２軸ヒンジ５の水平方向の回転軸を中心とした回転）を意味する。この光ディスク再生装置１は、携帯型の装置であり、ユーザは、光ディスク再生装置１を携帯する時には、２軸ヒンジ５を水平方向の回転軸を中心として回動させることにより、液晶表示部３を、前方向に回転させ、液晶表示部３を装置本体２の上に折り重ねた状態にして、光ディスク再生装置１を持ち運ぶ。
【００１９】
上記の２軸ヒンジ５は、ヒンジ機構部５ａと、２軸ヒンジ５を装置本体２側に結合するための結合部５ｂとを有している。装置本体２は、その後端部の中央に、２軸ヒンジ５の結合部５ｂの取り付けと収納を行うための凹部であるヒンジ取付収納部７を有している。このヒンジ取付収納部７内には、装置本体２側と液晶表示部３側とを電気的に接続するための電気配線も格納される。この電気配線は、２軸ヒンジ５の内部を挿通して、装置本体２側と液晶表示部３側とを電気的に接続する。２軸ヒンジ５の装置本体２への取り付けと、装置本体２側への電気配線の接続が完了した後は、ヒンジ取付収納部７の上部は、カバー１４により覆われる。
【００２０】
また、装置本体２は、光ディスク再生部４と光ディスク再生部４に装着された光ディスクとを保護するための内蓋１３を備えている。この内蓋１３は、光ディスク再生装置１の携帯時や、光ディスク再生部４による映像の再生時には、閉じられて、光ディスク再生部４と光ディスク再生部４に装着された光ディスクとを覆い、これらを保護する。
【００２１】
また、光ディスク再生装置１は、装置本体２の後端部に着脱自在で、電力を装置本体２と液晶表示部３とに供給するバッテリパック６を備えている。このバッテリパック６は、中央部にコの字型の凹部６ａを有している。バッテリパック６は、その長手方向両端（左右端）に、合計２つの電池収容部（図中の左電池収容部６ｂと右電池収容部６ｃ）を有し、これらの左電池収容部６ｂと右電池収容部６ｃとは、それぞれ複数の円筒型２次電池９を収容している。また、バッテリパック６は、左電池収容部６ｂ及び右電池収容部６ｃに収容された全ての円筒型２次電池９についての共通の充放電用の回路基板１０を、凹部６ａ内に有している。
【００２２】
次に、上記のバッテリパック６を装置本体２に効率よく収納するために、バッテリパック６及び装置本体２に施されている構造上の工夫について説明する。バッテリパック６側の凹部６ａは、装置本体２側のヒンジ取付収納部７に対応した位置（バッテリパック６の装置本体２への装着時にヒンジ取付収納部７の真下になる位置）に設けられており、ヒンジ取付収納部７の左右方向の幅Ｗ２よりも大きな左右方向の幅Ｗ１を持っている。また、装置本体２は、その後端部におけるヒンジ取付収納部７の左側と右側とに、バッテリパック６の左電池収容部６ｂと右電池収容部６ｃとを収納するための左収納凹部８ａと右収納凹部８ｂとを有している。このような構成にしたことにより、装置本体２の後端部の中央に取り付けられた２軸ヒンジ５とバッテリパック６とを装置本体２の後部に効率よく収納して、光ディスク再生装置１全体の小型化と薄型化を図ることができる。
【００２３】
図２は、バッテリパック６を装置本体２に装着した状態を示す。この図に示されるように、上記のような構造上の工夫を施したことにより、バッテリパック６を装置本体２の後部に効率よく収納することができる。
【００２４】
次に、上記のバッテリパック６を水平方向から装置本体２に容易に着脱することができるようにするために、バッテリパック６及び装置本体２に施されている構造上の工夫について説明する。図１に示されるように、装置本体２側の左収納凹部８ａと右収納凹部８ｂの内側面には、いずれもバッテリパック６の装着用のガイドバー１１とガイド溝２１とが設けられている。このガイドバー１１とガイド溝２１の長手方向は、装置本体２の水平面への載置時に、水平面と平行になる方向（図中の矢印で示される前後方向）である。一方、バッテリパック６は、その左側面と右側面とに、ガイドバー１１の挿入可能なガイド溝６ｅを有している。また、バッテリパック６の左電池収容部６ｂの右側面と右電池収容部６ｃの左側面とには、装置本体２側のガイド溝２１に挿入可能なガイドレール３１が設けられている。さらにまた、バッテリパック６の左電池収容部６ｂ、右電池収容部６ｃの上面６ｆ、６ｇは、平坦であり、ガイド溝６ｅ及びガイドレール３１の長手方向と平行である。
【００２５】
上記のような構成にしたことにより、装置本体２を水平面に載置した状態で、バッテリパック６を装置本体２に着脱するときに、装置本体２側の左収納凹部８ａと右収納凹部８ｂの内側面に設けられたガイドバー１１及びガイド溝２１の長手方向と、バッテリパック６側に設けられたガイド溝６ｅ及びガイドレール３１の長手方向と、バッテリパック６の左電池収容部６ｂ、右電池収容部６ｃの上面６ｆ、６ｇとが水平面に平行になるので、上記特許文献５に記載の発明と異なり、バッテリパック６を水平方向から装置本体２に容易に着脱することができる。
【００２６】
上記のように、本実施形態の光ディスク再生装置１によれば、バッテリパック６側の凹部６ａが、装置本体２側のヒンジ取付収納部７に対応した位置に設けられ、ヒンジ取付収納部７の左右方向の幅Ｗ２よりも大きな左右方向の幅Ｗ１を持ち、しかも、装置本体２の後端部におけるヒンジ取付収納部７の左側と右側に、バッテリパック６の左電池収容部６ｂと右電池収容部６ｃとを収納するための左収納凹部８ａと右収納凹部８ｂとを設ける構成にした。これにより、装置本体２の後端部の中央に取り付けられた２軸ヒンジ５とバッテリパック６とを装置本体２に効率よく収納して、装置の小型化と薄型化を図ることができる。これにより、装置の携帯性を向上させることができる。従って、光ディスク再生装置１の携帯性を向上させることができる。また、特許文献１の請求項２に記載されているように、ヒンジ部を挟んで本体の両側部に別個の（分離した）バッテリパックを設けた場合と異なり、バッテリパック６内の全ての円筒型２次電池９を電気的に接続することができるので、全ての円筒型２次電池９についての充放電用の回路基板１０を共通化することができ、装置全体の製造コストの上昇を抑えることができる。さらにまた、装置本体２の後端部におけるヒンジ取付収納部７の左側と右側に、バッテリパック６の左電池収容部６ｂと右電池収容部６ｃとを収納するための左収納凹部８ａと右収納凹部８ｂとを設ける構成にしたことにより、装置全体の重量バランスを良くすることができる。
【００２７】
また、高価な角型２次電池を使用することなく、装置の薄型化を図ることができるので、装置全体の製造コストの低減を図ることができる。
【００２８】
なお、本発明は、上記実施形態の構成に限られず、発明の趣旨を変更しない範囲で種々の変形が可能である。例えば、上記実施形態では、請求項における表示部が液晶表示部である場合の例を示したが、表示部は、これに限られず、プラズマディスプレイであってもよいし、有機ＥＬ（electroluminescence）ディスプレイであってもよい。また、上記実施形態では、バッテリパックが、全ての円筒型２次電池についての共通の充放電用の回路基板を、凹部内に有する構成にしたが、全ての電池についての共通の充放電用の回路基板を、例えば、左電池収容部又は右電池収容部の内側面側や底面側に設けてもよい。また、上記実施形態では、装置本体２側の左収納凹部８ａと右収納凹部８ｂの内側面に設けられた各ガイドバー１１が、それぞれ１列である場合の例を示したが、各ガイドバーは、その長手方向が、バッテリパック側のガイド溝の長手方向や、バッテリパックの左右の電池収容部の上面と平行でありさえすれば、１列のものに限定されず、上下方向又は前後方向に複数列のものであってもよい。さらにまた、上記実施形態では、バッテリパック６を水平方向から装置本体２に着脱する場合の例を示したが、バッテリパックを装置本体の下側から上方に持ち上げた後に、バッテリパックを図１中の前方向に水平に移動させることにより、バッテリパックを装置本体に装着してもよい。この場合、例えば、装置本体側の各ガイドバーを逆Ｌ字形状にし、バッテリパック側の各ガイド溝をＬ字形状にして、バッテリパック側の各ガイド溝に、装置本体側の各ガイドバーを挿入した後に、これらのガイドバーに沿ってバッテリパックを移動させれば、バッテリパックを装置本体にスムーズに装着することができる。
【符号の説明】
【００２９】
１    光ディスク再生装置
２    装置本体
３    液晶表示部（請求項における「表示部」）
４    光ディスク再生部
５    ２軸ヒンジ
５ｂ  結合部
６    バッテリパック
６ａ  凹部
６ｂ  左電池収容部（請求項における「電池収容部」）
６ｃ  右電池収容部（請求項における「電池収容部」）
６ｅ  ガイド溝
６ｆ  上面
６ｇ  上面
７    ヒンジ取付収納部
８ａ  左収納凹部（請求項における「収納凹部」）
８ｂ  右収納凹部（請求項における「収納凹部」）
９    円筒型２次電池
１０  回路基板（請求項における「共通の充放電用の回路基板」）
１１  ガイドバー
Ｗ１  幅（請求項における「左右方向の幅」）
【図１】
2011141921.tif 000003
【図２】
2011141921.tif 000004